(57)【特許請求の範囲】
【請求項１】
コンテンツを再生するコンテンツ再生端末であって、
端末本体と、
前記端末本体に装着されるセキュアデバイスとを有し、
前記セキュアデバイスは、
ユーザが属するグループを示し、会員ユーザに配布される会員情報を保持する会員情報保持手段を備え、
前記端末本体は、
前記会員情報保持手段に保持される会員情報に基づいて、動作モードを設定する動作モード設定手段と、
前記動作モード設定手段の設定結果に応じて、異なる態様でコンテンツを再生する再生手段とを備え、
前記再生手段は、
前記コンテンツを会員用の動作モードで再生するための第１アプリケーションプログラムを記憶する第１記憶手段と、
前記コンテンツを非会員用の動作モードで再生するための第２アプリケーションプログラムを記憶する第２記憶手段と、
前記設定結果に応じて前記第１および第２アプリケーションプログラムの何れかを選択する選択手段と、
前記選択手段により選択されたアプリケーションプログラムを実行することによりコンテンツを再生する実行手段とを備え、
前記第１アプリケーションプログラムは、会員用の装飾表示を前記実行手段に実行させる
ことを特徴とするコンテンツ再生端末。
【請求項２】
前記第１アプリケーションプログラムは、さらに会員用のグラフィカル・ユーザ・インターフェース表示を前記実行手段に実行させる
ことを特徴とする請求項１記載のコンテンツ再生端末。
【請求項３】
コンテンツを再生するコンテンツ再生端末であって、
端末本体と、
前記端末本体に装着されるセキュアデバイスとを有し、
前記セキュアデバイスは、
ユーザが属するグループを示し、会員ユーザに配布される会員情報を保持する会員情報保持手段を備え、
前記端末本体は、
前記会員情報保持手段に保持される会員情報に基づいて、動作モードを設定する動作モード設定手段と、
前記動作モード設定手段の設定結果に応じて、異なる態様でコンテンツを再生する再生手段とを備え、
前記再生手段は、
コンテンツを再生するためのアプリケーションプログラムを記憶する記憶手段と、
前記設定結果に応じて第１および第２表示データの何れかを選択する選択手段と、
アプリケーションプログラムを実行することにより、選択された表示データを用いてコンテンツを再生する実行手段とを備え、
前記第１表示データは、会員用の装飾表示用であり、
前記第２表示データは、非会員用の装飾なしの表示用である
ことを特徴とするコンテンツ再生端末。
【請求項４】
前記第１表示データは、さらに会員用のグラフィカル・ユーザ・インターフェース・データを含む
ことを特徴とする請求項３記載のコンテンツ再生端末。
【請求項５】
コンテンツを再生するコンテンツ再生端末であって、
端末本体と、
前記端末本体に装着されるセキュアデバイスとを有し、
前記セキュアデバイスは、
ユーザが属するグループを示し、会員ユーザに配布される会員情報を保持する会員情報保持手段を備え、
前記端末本体は、
前記会員情報保持手段に保持される会員情報に基づいて、動作モードを設定する動作モード設定手段と、
前記動作モード設定手段の設定結果に応じて、異なる態様でコンテンツを再生する再生手段とを備え、
前記セキュアデバイスは、さらに前記コンテンツを会員用の動作モードで再生するための第１アプリケーションプログラムを記憶する第１記憶手段を備え、
前記再生手段は、
前記コンテンツを非会員用の動作モードで再生するための第２アプリケーションプログラムを記憶する第２記憶手段と、
前記設定結果に応じて前記第１および第２アプリケーションプログラムの何れかを選択する選択手段と、
前記選択手段により選択されたアプリケーションプログラムを実行することによりコンテンツを再生する実行手段とを備え、
前記第１アプリケーションプログラムは、会員用の装飾表示を前記実行手段に実行させる
ことを特徴とするコンテンツ再生端末。
【請求項６】
コンテンツを再生するコンテンツ再生端末であって、
端末本体と、
前記端末本体に装着されるセキュアデバイスとを有し、
前記セキュアデバイスは、
ユーザが属するグループを示し、会員ユーザに配布される会員情報を保持する会員情報保持手段を備え、
前記端末本体は、
前記会員情報保持手段に保持される会員情報に基づいて、動作モードを設定する動作モード設定手段と、
前記動作モード設定手段の設定結果に応じて、異なる態様でコンテンツを再生する再生手段とを備え、
前記端末本体は、さらに前記セキュアデバイスに対して、どのような動作モードで動作すべきかを問い合わせる動作モード問い合わせ手段を備え、
前記セキュアデバイスは、さらに前記問い合わせがあった場合に、前記会員情報に基づいて動作モードを決定し、決定した動作モードを端末本体に対して指示する動作モード指示手段を備え、
前記動作モード設定手段は、前記動作モード指示手段が決定した動作モードの指示に基づいて、動作モードを設定する
ことを特徴とするコンテンツ再生端末。
【請求項７】
前記会員情報保持手段は、複数の会員情報を保持し、
前記動作モード指示手段は、前記問い合わせがあった場合に、前記複数の会員情報の中から優先させるべき会員情報を含む動作モードを決定する
ことを特徴とする請求項６記載のコンテンツ再生端末。
【請求項８】
前記問い合わせには、再生すべきコンテンツに関するコンテンツ情報が含まれており、
前記動作モード指示手段は、前記問い合わせがあった場合に、当該問い合わせに含まれるコンテンツ情報に基づいて、前記複数の会員情報の中から優先させるべき会員情報を含む動作モードを決定する
ことを特徴とする請求項７記載のコンテンツ再生端末。
【請求項９】
コンテンツを再生するコンテンツ再生端末であって、
端末本体と、
前記端末本体に装着されるセキュアデバイスとを有し、
前記セキュアデバイスは、
ユーザが属するグループを示し、会員ユーザに配布される会員情報を保持する会員情報保持手段を備え、
前記端末本体は、
前記会員情報保持手段に保持される会員情報に基づいて、動作モードを設定する動作モード設定手段と、
前記動作モード設定手段の設定結果に応じて、異なる態様でコンテンツを再生する再生手段とを備え、
前記端末本体は、さらに前記セキュアデバイスに対して、どのような動作モードで動作すべきかを問い合わせる動作モード問い合わせ手段を備え、
前記セキュアデバイスは、
ユーザに対して付与された会員ポイントを記憶する会員ポイント記憶手段と、
前記会員ポイントの値に応じて付与されるステータスのルールを記憶するルール記憶手段と、
前記問い合わせがあった場合に、前記会員情報、前記会員ポイントおよび前記ルールに基づいて動作モードおよび会員ステータスを決定し、決定した動作モードおよび会員ステータスを端末本体に対して指示する動作モード指示手段を備え、
前記動作モード設定手段は、前記動作モード指示手段が決定した動作モードおよび会員ステータスの指示に基づいて、動作モードを設定する
ことを特徴とするコンテンツ再生端末。
【請求項１０】
前記セキュアデバイスは、ＩＣカードであり、
前記端末本体は、さらに前記ＩＣカードを挿入するためのＩＣカードスロットを備え、
前記動作モード設定手段は、さらに前記ＩＣカードスロットに対するＩＣカードの挿入状態に基づいて、動作モードを設定する
ことを特徴とする請求項１記載のコンテンツ再生端末。
【請求項１１】
端末本体と、前記端末本体に装着されるセキュアデバイスとを有し、コンテンツを再生するコンテンツ再生端末に用いられるコンテンツ再生方法であって、
前記セキュアデバイスでは、ユーザが属するグループを示し、会員ユーザに配布される会員情報を保持する会員情報保持ステップを含み、
前記端末本体では、
前記会員情報保持ステップで保持される会員情報に基づいて、動作モードを設定する動作モード設定ステップと、
前記動作モード設定ステップの設定結果に応じて、異なる態様でコンテンツを再生する再生ステップとを含み、
前記再生ステップは、
前記コンテンツを会員用の動作モードで再生するための第１アプリケーションプログラムを記憶する第１記憶ステップと、
前記コンテンツを非会員用の動作モードで再生するための第２アプリケーションプログラムを記憶する第２記憶ステップと、
前記設定結果に応じて前記第１および第２アプリケーションプログラムの何れかを選択する選択ステップと、
前記選択ステップにおいて選択されたアプリケーションプログラムを実行することによりコンテンツを再生する実行ステップとを備え、
前記第１アプリケーションプログラムは、会員用の装飾表示を前記実行手段に実行させる
ことを特徴とするコンテンツ再生方法。
【請求項１２】
請求項１１に記載されたコンテンツ再生方法に含まれるステップをコンピュータに実行させる
ことを特徴とするプログラム。
【発明の詳細な説明】
【技術分野】
【０００１】
本発明は、コンテンツを再生するＤＶＤプレーヤなどのコンテンツ再生技術に関する。
【背景技術】
【０００２】
近年、音楽や映像などのコンテンツのデジタル化に伴い、家電メーカからコンテンツを再生するコンテンツ再生端末が発売されている。その一方、コンテンツの発売元や、コンテンツのレンタル業者は、コンテンツを購入するユーザや、コンテンツをレンタルするユーザを引きつけ、他と差別化を図るため会員制を採用し、特定サービスに加入している会員に対し、見栄えをよくしたり、操作性を向上させるような会員専用の特別な動作をするコンテンツ再生端末を提供しようとする動きがある。
【特許文献１】特開２００４−１７１１８４号公報
【発明の開示】
【発明が解決しようとする課題】
【０００３】
しかしながら、このような特定サービスの会員に対し、会員専用の特別な動作をするコンテンツ再生端末を提供しようとする場合、会員専用の端末を別途製造する必要がある。また、ユーザにとっても、会員専用の端末によって見栄えがよくなったり、操作性が向上したりする反面、一般用の端末の他、種々の会員専用の端末を使い分けしなければならないため、煩雑である。
【０００４】
このため、ユーザが一般ユーザ（非会員）の場合、一般ユーザ用端末として動作し、ユーザが特定サービスの会員（例：映画会社Ａ社会員、レンタル業者Ｂ社会員など）の場合、そのサービス会員用の専用端末として動作し、専用端末として差別化することもできるコンテンツ再生端末の出現が望まれる。
【０００５】
そこで、本発明は、上述の課題を解決し、１つの端末で一般用の端末として動作したり、会員専用の端末として動作したりするような双方の動作を可能とするコンテンツ再生端末を提供することを目的とする。
【課題を解決するための手段】
【０００６】
上記目的を達成するために、本発明に係るコンテンツ再生端末においては、コンテンツを再生するコンテンツ再生端末であって、端末本体と、前記端末本体に装着されるセキュアデバイスとを有し、前記セキュアデバイスは、ユーザが属するグループを示し、会員ユーザに配布される会員情報を保持する会員情報保持手段を備え、前記端末本体は、前記会員情報保持手段に保持される会員情報に基づいて、動作モードを設定する動作モード設定手段と、前記動作モード設定手段の設定結果に応じて、異なる態様でコンテンツを再生する再生手段とを備えることを特徴とする。そして、前記再生手段は、前記コンテンツを会員用の動作モードで再生するための第１アプリケーションプログラムを記憶する第１記憶手段と、前記コンテンツを非会員用の動作モードで再生するための第２アプリケーションプログラムを記憶する第２記憶手段と、前記設定結果に応じて前記第１および第２アプリケーションプログラムの何れかを選択する選択手段と、前記選択手段により選択されたアプリケーションプログラムを実行することによりコンテンツを再生する実行手段とを備え、前記第１アプリケーションプログラムは、会員用の装飾表示を前記実行手段に実行させる。
【０００７】
これにより、１つの端末で一般用の端末として動作させたり、会員専用の端末として動作させたりするような双方の動作が可能なコンテンツ再生端末を提供することができる。
【０００８】
また、本発明に係るコンテンツ再生端末においては、前記再生手段は、前記コンテンツを会員用の動作モードで再生するための第１アプリケーションプログラムを記憶する第１記憶手段と、前記コンテンツを非会員用の動作モードで再生するための第２アプリケーションプログラムを記憶する第２記憶手段と、前記設定結果に応じて前記第１および第２アプリケーションプログラムの何れかを選択する選択手段と、前記選択手段により選択されたアプリケーションプログラムを実行することによりコンテンツを再生する実行手段とを備え、前記第１アプリケーションプログラムは、会員用の装飾表示を前記実行手段に実行させることを特徴とすることができる。
【０００９】
これにより、会員用の装飾表示で会員用専用端末として差別化することができる。
また、本発明に係るコンテンツ再生端末においては、前記第１アプリケーションプログラムは、さらに会員用のグラフィカル・ユーザ・インターフェース表示を前記実行手段に実行させることを特徴とすることもできる。
【００１０】
これにより、会員用のグラフィカル・ユーザ・インターフェース表示で会員用専用端末として差別化することができる。
【００１１】
また、本発明に係るコンテンツ再生端末においては、コンテンツを再生するコンテンツ再生端末であって、端末本体と、前記端末本体に装着されるセキュアデバイスとを有し、前記セキュアデバイスは、ユーザが属するグループを示し、会員ユーザに配布される会員情報を保持する会員情報保持手段を備え、前記端末本体は、前記会員情報保持手段に保持される会員情報に基づいて、動作モードを設定する動作モード設定手段と、前記動作モード設定手段の設定結果に応じて、異なる態様でコンテンツを再生する再生手段とを備えることを特徴とする。そして、前記再生手段は、コンテンツを再生するためのアプリケーションプログラムを記憶する記憶手段と、前記設定結果に応じて第１および第２表示データの何れかを選択する選択手段と、アプリケーションプログラムを実行することにより、選択された表示データを用いてコンテンツを再生する実行手段とを備え、前記第１表示データは、会員用の装飾表示用であり、前記第２表示データは、非会員用の装飾なしの表示用であることを特徴とすることができる。
【００１２】
これにより、簡便に会員用の装飾表示で会員用専用端末として差別化することができる。
【００１３】
また、本発明に係るコンテンツ再生端末においては、前記第１表示データは、さらに会員用のグラフィカル・ユーザ・インターフェース・データを含むことを特徴とすることもできる。
【００１４】
これにより、簡便に会員用のグラフィカル・ユーザ・インターフェース表示で会員用専用端末として差別化することができる。
【００１５】
また、本発明に係るコンテンツ再生端末においては、コンテンツを再生するコンテンツ再生端末であって、端末本体と、前記端末本体に装着されるセキュアデバイスとを有し、前記セキュアデバイスは、ユーザが属するグループを示し、会員ユーザに配布される会員情報を保持する会員情報保持手段を備え、前記端末本体は、前記会員情報保持手段に保持される会員情報に基づいて、動作モードを設定する動作モード設定手段と、前記動作モード設定手段の設定結果に応じて、異なる態様でコンテンツを再生する再生手段とを備えることを特徴とする。そして、前記セキュアデバイスは、さらに前記コンテンツを会員用の動作モードで再生するための第１アプリケーションプログラムを記憶する第１記憶手段を備え、前記再生手段は、前記コンテンツを非会員用の動作モードで再生するための第２アプリケーションプログラムを記憶する第２記憶手段と、前記設定結果に応じて前記第１および第２アプリケーションプログラムの何れかを選択する選択手段と、前記選択手段により選択されたアプリケーションプログラムを実行することによりコンテンツを再生する実行手段とを備え、前記第１アプリケーションプログラムは、会員用の装飾表示を前記実行手段に実行させることを特徴とすることができる。
【００１６】
これにより、コンテンツ再生端末は外部から第１アプリケーションプログラムをダウンロードする必要がなくなり、コンテンツ再生端末の構成を簡素化することができる。
【００１７】
また、本発明に係るコンテンツ再生端末においては、コンテンツを再生するコンテンツ再生端末であって、端末本体と、前記端末本体に装着されるセキュアデバイスとを有し、前記セキュアデバイスは、ユーザが属するグループを示し、会員ユーザに配布される会員情報を保持する会員情報保持手段を備え、前記端末本体は、前記会員情報保持手段に保持される会員情報に基づいて、動作モードを設定する動作モード設定手段と、前記動作モード設定手段の設定結果に応じて、異なる態様でコンテンツを再生する再生手段とを備えることを特徴とする。そして、前記端末本体は、さらに前記セキュアデバイスに対して、どのような動作モードで動作すべきかを問い合わせる動作モード問い合わせ手段を備え、前記セキュアデバイスは、さらに前記問い合わせがあった場合に、前記会員情報に基づいて動作モードを決定し、決定した動作モードを端末本体に対して指示する動作モード指示手段を備え、前記動作モード設定手段は、前記動作モード指示手段が決定した動作モードの指示に基づいて、動作モードを設定することを特徴とすることができる。
【００１８】
これにより、動作モードの設定の確実化を図ることができる。
また、本発明に係るコンテンツ再生端末においては、前記会員情報保持手段は、複数の会員情報を保持し、前記動作モード指示手段は、前記問い合わせがあった場合に、前記複数の会員情報の中から優先させるべき会員情報を含む動作モードを決定することを特徴とすることもできる。
【００１９】
また、本発明に係るコンテンツ再生端末においては、前記問い合わせには、再生すべきコンテンツに関するコンテンツ情報が含まれており、前記動作モード指示手段は、前記問い合わせがあった場合に、当該問い合わせに含まれるコンテンツ情報に基づいて、前記複数の会員情報の中から優先させるべき会員情報を含む動作モードを決定することを特徴とすることもできる。
【００２０】
また、本発明に係るコンテンツ再生端末においては、コンテンツを再生するコンテンツ再生端末であって、端末本体と、前記端末本体に装着されるセキュアデバイスとを有し、前記セキュアデバイスは、ユーザが属するグループを示し、会員ユーザに配布される会員情報を保持する会員情報保持手段を備え、前記端末本体は、前記会員情報保持手段に保持される会員情報に基づいて、動作モードを設定する動作モード設定手段と、前記動作モード設定手段の設定結果に応じて、異なる態様でコンテンツを再生する再生手段とを備えることを特徴とする。そして、前記端末本体は、さらに前記セキュアデバイスに対して、どのような動作モードで動作すべきかを問い合わせる動作モード問い合わせ手段を備え、前記セキュアデバイスは、ユーザに対して付与された会員ポイントを記憶する会員ポイント記憶手段と、前記会員ポイントの値に応じて付与されるステータスのルールを記憶するルール記憶手段と、前記問い合わせがあった場合に、前記会員情報、前記会員ポイントおよび前記ルールに基づいて動作モードおよび会員ステータスを決定し、決定した動作モードおよび会員ステータスを端末本体に対して指示する動作モード指示手段を備え、前記動作モード設定手段は、前記動作モード指示手段が決定した動作モードおよび会員ステータスの指示に基づいて、動作モードを設定することを特徴とすることができる。
【００２１】
これにより、同じグループ内の会員であっても、会員ステータスに応じた会員用専用端末として差別化することができる。
【００２２】
また、本発明に係るコンテンツ再生端末においては、前記セキュアデバイスは、ＩＣカードであり、前記端末本体は、さらに前記ＩＣカードを挿入するためのＩＣカードスロットを備え、前記動作モード設定手段は、さらに前記ＩＣカードスロットに対するＩＣカードの挿入状態に基づいて、動作モードを設定することを特徴とすることができる。
【００２３】
これによっても、１つの端末で、双方の動作が可能なコンテンツ再生端末を提供することが可能となる。
【００２４】
なお、本発明は、このようなコンテンツ再生端末として実現することができるだけでなく、このようなコンテンツ再生端末が備える特徴的な手段をステップとするコンテンツ再生方法として実現したり、それらのステップをコンピュータに実行させるプログラムとして実現したりすることもできる。そして、そのようなプログラムは、ＣＤ−ＲＯＭ等の記録媒体やインターネット等の伝送媒体を介して配信することができるのは言うまでもない。
【発明の効果】
【００２５】
以上の説明から明らかなように、本発明に係るコンテンツ再生端末によれば、会員専用の端末を別途製造したり、一般用の端末の他、種々の会員専用の端末を使い分けしたりする必要がなく、ユーザが会員カードをコンテンツ再生端末のＩＣカードスロットに差し込むことによって、その端末を、会員専用機として利用することが可能となる。
【００２６】
よって、本発明により、カードの挿抜等により１つの端末が一般用の端末に変身したり、会員用の専用端末に変身し、コンテンツの販売や、レンタルが普及し、専用端末として差別化を図ろうとする動きがある今日における本願発明の実用的価値は極めて高い。
【発明を実施するための最良の形態】
【００２７】
以下、本発明の実施の形態について、図面を用いて詳細に説明する。
【００２８】
（実施の形態１）
図１は、本実施の形態１に係るコンテンツ再生端末に適用されるある会員システムの全体構成を示す図である。
【００２９】
この会員システムの会員サービス提供者（例えば、Ａ社）は、会員手続を行ったユーザに対し、サーバ１０を用いて、会員証データを格納した上でセキュアデバイスとしてのＩＣカード（以下、単に「カード」とも記す。）２０ａを発行する。
【００３０】
ユーザは、発行されたカード２０ａを、必要に応じて、コンテンツ再生端末（以下、「端末本体」とも記す。）３０ａのカードスロット３１に挿入する。
【００３１】
コンテンツ再生端末３０ａは、所定のタイミング（起動時、カード挿抜時など）で、カード２０ａに対しどのような動作モード（一般ユーザ用端末、Ａ社サービス会員用端末など）で動作すべきか問い合わせる。
【００３２】
カード２０ａは、カード内の情報（会員証の有無、有効期限情報など）に基づいて、動作モードを決定し、決定した動作モードをコンテンツ再生端末３０ａに返信する。
【００３３】
コンテンツ再生端末３０ａは、カード２０ａからの返信結果に従って動作する。コンテンツ再生端末３０ａは、例えばＤＶＤプレーヤであり、上記カードスロット３１の他、ＤＶＤ４０をセットするトレイ３２等を備え、モニタ５０や、インターネット等のネットワーク６０を介してサーバ１０に接続される。そして、ＩＣカードスロット３１にカード２０ａが挿入されていない場合等のときには、コンテンツ再生端末３０ａは、一般用の端末として動作し、ディスク未挿入時にはデスクの挿入を促す一般用のメッセージを単に表示するだけで、またディスク再生時には、一般用のコンテンツの再生画面だけを単に表示するだけで、ＤＶＤ４０に記録されたコンテンツ（例えば、魚を題材とした子供向けのコンテンツ「Ｆｉｓｈｉｎｇ  △□×○」）を再生する。
【００３４】
これに対して、ＩＣカードスロット３１にＡ社会員用のカード２０ａが挿入され、会員証が有効である場合等のときには、コンテンツ再生端末３０ａは、Ａ社会員専用の端末として動作し、ディスク未挿入時にはＡ社のキャラクタ（例えば、「熊の○□さん」）がディスクの挿入を促すメッセージを話すように装飾表示する。また、ディスク再生時には、コンテンツ再生端末３０ａは、コンテンツの再生画面周囲を装飾するリボンを表示するとともに、プレーヤの操作をするためのＧＵＩを表示する。
【００３５】
なお、カード２０ａとして、ＩＣカードの他、ＳＤカード等の記憶媒体を備えるカードを用いることができる。
【００３６】
図２は、図１に示されるカード２０ａおよびコンテンツ再生端末３０ａの機能構成を示すブロック図である。
【００３７】
図２に示されるように、コンテンツ再生端末３０ａは、通信部３０１と、ネットワーク通信部３０２と、動作モード制御部３０３と、アプリ／表示データ取得部３０４ａと、レジデントプレーヤアプリケーションプログラム（なお、アプリケーションプログラムを以下「アプリ」とも記す。）実行部３０５ａと、レジデントプレーヤアプリ格納部３０６ａと、レジデント表示データ格納部３０７と、会員用プレーヤアプリ実行部３０８ａと、会員用プレーヤアプリ格納部３０９ａと、会員用表示データ格納部３１０ａと、コンテンツ再生／情報提示部３１１とを備える。
【００３８】
通信部３０１は、ＩＣカードスロット３１に挿入されたカード２０ａと通信する。
ネットワーク通信部３０２は、ネットワーク６０を介してサーバ１０と通信し、サーバ１０が保持する会員用アプリケーションプログラムや、この会員用アプリケーションプログラムが使用する会員用表示データ等をダウンロードしたりする。
【００３９】
動作モード制御部３０３は、ＩＣカードスロット３１にカード２０ａが挿入されているか否かを検出したり、カード２０ａに対して動作モードの問い合わせ（動作モード指示要求）を送信したり、カード２０ａからの動作モード指示に基づいて、動作モードを設定したりする。
【００４０】
レジデントプレーヤアプリ格納部３０６ａは、端末出荷時に格納されるレジデントプレーヤアプリ３０６０ａを保持する。
【００４１】
レジデント表示データ格納部３０７は、レジデントプレーヤアプリ３０６０ａにより使用され、端末出荷時に格納されるレジデント表示データ３０７０を保持する。なお、レジデント表示データ３０７０は、ディスク挿入を促すメッセージ等である。
【００４２】
レジデントプレーヤアプリ実行部３０５ａは、アプリ／表示データ取得部３０４ａにより取得されたレジデントプレーヤアプリ３０６０ａを実行するＣＰＵにより実現される。
【００４３】
会員用プレーヤアプリ格納部３０９ａは、端末出荷後に取得される会員用プレーヤアプリ３０９０ａを保持する。取得方法は、サーバ１０からダウンロードしたり、カード２０ａから転送したりする等の方法が用いられる。
【００４４】
会員用表示データ格納部３１０ａは、会員用プレーヤアプリ３０９０ａに使用され、端末出荷後に取得される会員用表示データ３１００ａを保持する。なお、会員用表示データ３１００ａは、ディス挿入を促すメッセージや、キャラクタを用いた装飾表示や、コンテンツ再生の際の装飾表示や、プレーヤの操作を容易にするＧＵＩ等である。
【００４５】
会員用プレーヤアプリ実行部３０８ａは、アプリ／表示データ取得部３０４ａにより取得された会員用プレーヤアプリ３０９０ａを実行するＣＰＵにより実現される。
【００４６】
アプリ／表示データ取得部３０４ａは、動作モード指示に基づいて各格納部から必要なアプリケーションプログラムや表示用データを取得する。すなわち、動作モード指示が一般用である場合、アプリ／表示データ取得部３０４ａは、レジデントプレーヤアプリ格納部３０６ａからレジデントプレーヤアプリ３０６０ａを取得し、レジデント表示データ格納部３０７からレジデントプレーヤアプリ３０６０ａが使用するレジデント表示データ３０７０を取得する。また、動作モード指示が会員用である場合、アプリ／表示データ取得部３０４ａは、会員用プレーヤアプリ格納部３０９ａから会員用プレーヤアプリ３０９０ａを取得し、会員用表示データ格納部３１０ａから会員用プレーヤアプリ３０９０ａが使用する会員用表示データ３１００ａを取得する。
【００４７】
コンテンツ再生／情報提示部３１１は、レジデント／会員用に共通に用いられ、コンテンツを実際に再生したり、コンテンツの曲名や題名等の情報を提示したりする。
【００４８】
一方、カード２０ａは、通信部２０１と、会員証データ保持部２０２と、動作モード決定部２０３ａとを備える。
【００４９】
通信部２０１は、コンテンツ再生端末３０ａと通信する。
会員証データ保持部２０２は、会員証２０２０を保持する。
【００５０】
図３は、上記会員証２０２０のデータ構成を示す図である。
図３に示されるように、会員証２０２０は、会員種別２０２１と、有効期限２０２２と、署名２０２３とから構成される。
【００５１】
会員種別２０２１は、ユーザが属するグループ（例えば、Ａ社会員、Ｂ社会員等）を示す。有効期限２０２２は、この会員証の有効期限を示す。署名２０２３は、会員種別２０２１や、有効期限２０２２の改竄を防止するため、正当性（有効性）を確認するためのデータである。
【００５２】
動作モード決定部２０３ａは、通信部２０１を介してコンテンツ再生端末３０ａから動作モード指示要求を受信した場合に、一般用端末として動作するか会員用端末として動作するかを決定し、決定結果を示す動作モード指示を通信部２０１を介してコンテンツ再生端末３０ａに送信する。
【００５３】
次いで、コンテンツ再生端末３０ａおよびカード２０ａ間で行われる動作モード変更処理を説明する。
【００５４】
図４は、コンテンツ再生端末３０ａおよびカード２０ａ間で行われる動作モード変更処理の動作を示すフローチャートである。
【００５５】
コンテンツ再生端末３０ａの動作モード制御部３０３は、端末起動、カード挿抜、カード格納データの更新等の動作モード変更イベントが発生するとこの動作モード変更処理を開始し、まず、ＩＣカードスロット３１にカードが挿入されているか否か判断する（Ｓ１１）。カードが挿入されている場合（Ｓ１１でＹｅｓ）、動作モード制御部３０３は、動作モード指示要求を通信部３０１を介してカード２０ａに送信する（Ｓ１２）。この動作モード指示要求は、カード２０ａから動作モード指示を受けるための要求であり、例えば動作モード指示要求であることを示すメッセージ識別子で構成される。
【００５６】
カード２０ａの動作モード決定部２０３ａは、通信部２０１を介して動作モード指示要求を受信する（Ｓ１３）と、動作モード指示を生成するための動作モード決定プロセスを実行する（Ｓ１４）。
【００５７】
図５は、図４に示される動作モード決定プロセス（Ｓ１４）のサブルーチンを示すフローチャートである。
【００５８】
動作モード決定部２０３ａは、まず会員証データ保持部２０２を検索し、会員証２０２０があるか否か判断する（Ｓ１４１）。会員証２０２０がある場合（Ｓ１４１でＹｅｓ）、動作モード決定部２０３ａは、署名のチェック、有効期限のチェック等による会員証２０２０の有効性を確認し（Ｓ１４２）、会員証２０２０が有効か否か判断する（Ｓ１４３）。
【００５９】
会員証２０２０が有効である場合（Ｓ１４３でＹｅｓ）、動作モード決定部２０３ａは、会員証の種別を確認し、動作モードを決定する（Ｓ１４４）。そして、動作モード決定部２０３ａは、動作モード＝決定した動作モードに設定した指示を示す動作モード指示を生成し（Ｓ１４５）、図４に示されるメインルーチンにリターンする。
【００６０】
一方、会員証データ保持部２０２に会員証がない場合（Ｓ１４１でＮｏ）、あるいは会員証が有効でない場合（Ｓ１４３でＮｏ）、動作モード決定部２０３ａは、動作モード＝一般プレーヤに設定した指示を示す動作モード指示を生成し（Ｓ１４６）、図４に示されるメインルーチンにリターンする。
【００６１】
図６は、上記した動作モード指示７０ａのデータ構成例を示す図である。
図６に示されるように、動作モード指示７０ａは、このデータが動作モード指示であることを示す動作モード指示識別子７１と、この指示の内容を示す動作モード７２とから構成される。動作モード７２としては、０：一般プレーヤ、１：Ａ社会員プレーヤ、２：Ｂ社会員プレーヤ、…の何れかが格納される。
【００６２】
動作モード指示７０ａの生成が終わると、動作モード決定部２０３ａは、生成した動作モード指示７０ａを通信部２０１を介してコンテンツ再生端末３０ａに送信する（Ｓ１５）。
【００６３】
コンテンツ再生端末３０ａの動作モード制御部３０３は、動作モード指示７０ａを通信部３０１を介して受信すると（Ｓ１６）、動作モードを指示された動作モードに設定する（Ｓ１７）。これにより、コンテンツ再生端末３０ａの動作モードを変更するための動作モード変更処理プロセスが実行される（Ｓ１９）。
【００６４】
一方、カードが挿入されていない場合（Ｓ１１でＮｏ）、動作モード制御部３０３は、動作モードを一般プレーヤに設定する（Ｓ１８）。これにより、コンテンツ再生端末３０ａの動作モードを変更するための動作モード変更処理プロセスが実行される（Ｓ１９）。
【００６５】
図７は、図４に示される動作モード変更処理プロセス（Ｓ１９）のサブルーチンを示すフローチャートである。
【００６６】
まず、動作モード制御部３０３は、現在の動作モード＝指定されたモードであるか否か判定する（Ｓ１９１）。
【００６７】
現在の動作モード＝指定されたモードである場合（Ｓ１９１でＹｅｓ）、動作モードの変更が不要であるので、そのまま図４に示されるメインルーチンにリターンする。
【００６８】
現在の動作モード＝指定されたモードでない場合（Ｓ１９１でＮｏ）、アプリ／表示データ取得部３０４ａは、指定されたモードに合致するプレーヤアプリおよび表示用データを格納部から読み出し（Ｓ１９２）、指定されたモードに合致するアプリ実行部は読み出したプレーヤアプリを実行する（Ｓ１９３）。
【００６９】
つまり、例えば現在の動作モードが一般プレーヤで、指定されたモードが会員プレーヤ（Ａ社）である場合、アプリ／表示データ取得部３０４ａは、会員用プレーヤアプリ格納部３０９ａからＡ社会員用プレーヤアプリを読み出し、会員用表示データ格納部３１０ａからＡ社会員用表示データを読み出し、会員用プレーヤアプリ実行部３０８ａはＡ社会員用プレーヤアプリを実行する。この逆に現在の動作モードが会員プレーヤで、指定されたモードが一般プレーヤである場合、アプリ／表示データ取得部３０４ａは、レジデントプレーヤアプリ格納部３０６ａからレジデントプレーヤアプリを読み出し、レジデント表示データ格納部３０７からレジデントデータを読み出し、レジデントプレーヤアプリ実行部３０５ａはレジデントプレーヤアプリ３０６０ａを実行する。
【００７０】
このような処理により、カード２０ａの挿抜等でコンテンツ再生端末３０ａを一般用の端末と動作させたり、会員用の専用端末として動作させたりすることができる。
【００７１】
（実施の形態２）
次いで、本発明の実施の形態２に係るコンテンツ再生端末について説明する。
図８は、本発明の実施の形態２に係るコンテンツ再生端末およびカードの機能構成を示すブロック図である。なお、実施の形態１のコンテンツ再生端末３０ａおよびカード２０ａの構成要素と対応する部分に同じ番号を付し、その説明を省略する。
【００７２】
ところで、実施の形態１のコンテンツ再生端末３０ａでは、会員用プレーヤアプリ実行部３０８ａおよび会員用プレーヤアプリ格納部３０９ａを備え、本格的な会員用専用端末として動作するように構成されている。しかしながら、場合によっては表示やＧＵＩを変えるだけで簡便な会員用専用端末として動作すれば差別化として十分であるといった場合も考えられる。
【００７３】
そこで、この実施の形態２に係るコンテンツ再生端末３０ｂにおいては、会員用プレーヤアプリ実行部３０８ａおよび会員用プレーヤアプリ格納部３０９ａを省略し、レジデントプレーヤアプリ３０６０ｂが、動作モードに応じてレジデント表示データ３０７０と会員用表示データ３１００ａとを切り替えるように構成されている。
【００７４】
つまり、コンテンツ再生端末３０ｂは、通信部３０１と、ネットワーク通信部３０２と、動作モード制御部３０３と、アプリ／表示データ取得部３０４ｂと、レジデントプレーヤアプリ実行部３０５ｂと、レジデントプレーヤアプリ３０６０ｂを格納するレジデントプレーヤアプリ格納部３０６ｂと、レジデント表示データ格納部３０７と、会員用表示データ格納部３１０ａと、コンテンツ再生／情報提示部３１１とから構成される。
【００７５】
このコンテンツ再生端末３０ｂは、動作モード変更プロセスにおいて、現在の動作モード＝指定されたモードでない場合、アプリ／表示データ取得部３０４ｂは、指定されたモードに合致する表示用データを格納部から読み出し、レジデントプレーヤアプリ実行部３０５ｂは、指定されたモードに合致する表示データを用いてレジデントプレーヤアプリ３０６０ｂを実行する。
【００７６】
つまり、例えば現在の動作モードが一般プレーヤで、指定されたモードが会員プレーヤ（Ａ社）である場合、アプリ／表示データ取得部３０４ｂは、会員用表示データ格納部３１０ａからＡ社会員用表示データを読み出し、レジデントプレーヤアプリ実行部３０５ｂはレジデントプレーヤアプリ３０６０ｂを実行する。すなわち、レジデントプレーヤアプリ３０６０ｂはレジデント表示データ３０７０に代えて会員用表示データ３１００ａを用いる。この逆に現在の動作モードが会員プレーヤで、指定されたモードが一般プレーヤである場合、アプリ／表示データ取得部３０４ｂは、レジデント表示データ格納部３０７からレジデント表示データ３０７０を読み出し、レジデントプレーヤアプリ実行部３０５ｂはレジデントプレーヤアプリ３０６０ｂを実行する。すなわち、レジデントプレーヤアプリ３０６０ｂは会員用表示データ３１００ａに代えてレジデント表示データ３０７０を使用する。
【００７７】
このような処理によっても、カード２０ａの挿抜等でコンテンツ再生端末３０ｂを一般用の端末と動作させたり、会員用の専用端末として動作させたりすることができる。
【００７８】
（実施の形態３）
次いで、本発明の実施の形態３に係るコンテンツ再生端末について説明する。
図９は、本発明の実施の形態３に係るコンテンツ再生端末およびカードの機能構成を示すブロック図である。なお、実施の形態１のコンテンツ再生端末３０ａおよびカード２０ａの構成要素と対応する部分に同じ番号を付し、その説明を省略する。
【００７９】
ところで、実施の形態１では、コンテンツ再生端末３０ａに会員用プレーヤアプリ格納部３０９ａおよび会員用表示データ格納部３１０ａを備え、ネットワーク６０経由で会員用プレーヤアプリ３０９０ａおよび会員用表示データ３１００ａを取得するように構成されている。しかしながら、場合によってはカードに会員用プレーヤアプリ格納部３０９ａおよび会員用表示データ格納部３１０ａを備え、予め会員用プレーヤアプリ３０９０ａおよび会員用表示データ３１００ａを格納するように構成される場合も考えられる。
【００８０】
そこで、この実施の形態３に係るコンテンツ再生端末３０ｃにおいては、会員用プレーヤアプリ格納部３０９ａおよび会員用表示データ格納部３１０ａを省略し、会員専用の動作モードの場合、アプリ／表示データ取得部３０４ｃがカード２０ｂに設けられた会員用プレーヤアプリ格納部３０９ａおよび会員用表示データ格納部３１０ａから会員用プレーヤアプリ３０９０ａおよび会員用表示データ３１００ａを取得し、会員用プレーヤアプリ実行部３０８ａが会員用プレーヤアプリ３０９０ａを実行するように構成されている。
【００８１】
つまり、カード２０ｂは、通信部２０１、会員証データ保持部２０２および動作モード決定部２０３ａの他、さらに会員用プレーヤアプリ格納部３０９ａと、会員用表示データ格納部３１０ａとを備えて構成される。すなわち、カード２０ｂの発行の際に、カード２０ｂに会員用プレーヤアプリ格納部３０９ａおよび会員用表示データ格納部３１０ａを設け、会員用プレーヤアプリ格納部３０９ａに会員用プレーヤアプリ３０９０ａを格納し、会員用表示データ格納部３１０ａに会員用表示データ３１００ａを格納するように構成されている。
【００８２】
また、コンテンツ再生端末３０ｃは、通信部３０１、ネットワーク通信部３０２、動作モード制御部３０３、アプリ／表示データ取得部３０４ｃ、レジデントプレーヤアプリ実行部３０５ａ、レジデントプレーヤアプリ格納部３０６ａ、レジデント表示データ格納部３０７、会員用プレーヤアプリ実行部３０８ａおよびコンテンツ再生／情報提示部３１１で構成される。
【００８３】
このコンテンツ再生端末３０ｃは、動作モード変更プロセスにおいて、現在の動作モード＝指定されたモードでない場合、例えば現在の動作モードが一般プレーヤで、指定されたモードが会員プレーヤ（Ａ社）である場合、アプリ／表示データ取得部３０４ｃは、カード２０ｂの会員用プレーヤアプリ格納部３０９ａから通信部２０１，３０１を介して会員用プレーヤアプリ３０９０ａを読み出し、カード２０ｂの会員用表示データ格納部３１０ａから通信部２０１，３０１を介してＡ社会員用表示データを読み出し、会員用プレーヤアプリ実行部３０８ａが会員用プレーヤアプリ３０９０ａを実行するようにすればよい。
【００８４】
このような処理によっても、カード２０ｂの挿抜等でコンテンツ再生端末３０ｃを一般用の端末と動作させたり、会員用の専用端末として動作させたりすることができる。
【００８５】
（実施の形態４）
次いで、本発明の実施の形態４に係るコンテンツ再生端末について説明する。
図１０は、本発明の実施の形態４に係るコンテンツ再生端末およびカードの機能構成を示すブロック図である。なお、実施の形態１のコンテンツ再生端末３０ａおよびカード２０ａの構成要素と対応する部分に同じ番号を付し、その説明を省略する。
【００８６】
ところで、実施の形態１では、ユーザがある会員である場合、会員を同じステータスとして取り扱い、会員用表示データや会員用プレーヤアプリを変えて実行していない。しかしながら、コンテンツの購入額や、レンタル額に応じてユーザにポイントを付与し、付与したポイントをカードに記録し、ポイントの値に応じてシルバー会員や、ゴールド会員といったステータスを与え、割引率を変えるといった取り扱いが行われているので、このステータスに応じて会員用表示データや会員用プレーヤアプリを変えて実行する場合が考えられる。
【００８７】
そこで、この実施の形態４に係るコンテンツ再生端末３０ｄにおいては、会員専用の動作モードの場合、会員のポイントの値に応じたステータスに基づいて、会員用プレーヤアプリ実行部３０８ｂ、会員用プレーヤアプリ格納部３０９ｂおよび会員用表示データ格納部３１０ｂにおける動作を変えるように構成されている。
【００８８】
つまり、カード２０ｃは、通信部２０１、会員証データ保持部２０２および動作モード決定部２０３ｂの他、さらに会員ポイント２０４０を管理する会員ポイント管理部２０４と、会員のステータスを決定するためのルール２０５０を格納するステータス決定／ルール格納部２０５とを備えて構成される。
【００８９】
動作モード決定部２０３ｂは、動作モード決定プロセスにおいて、動作モードを決定するほか、会員ポイント管理部２０４が管理する会員ポイント２０４０およびステータス決定／ルール格納部２０５が格納するルール２０５０に基づいてステータスを決定し、動作モード指示を生成する。
【００９０】
また、コンテンツ再生端末３０ｄは、通信部３０１と、ネットワーク通信部３０２と、動作モード制御部３０３と、アプリ／表示データ取得部３０４ａと、レジデントプレーヤアプリ実行部３０５ａと、レジデントプレーヤアプリ格納部３０６ａと、レジデント表示データ格納部３０７と、会員用プレーヤアプリ実行部３０８ｂと、会員用プレーヤアプリ格納部３０９ｂと、会員用表示データ格納部３１０ｂと、コンテンツ再生／情報提示部３１１とを備えて構成される。
【００９１】
会員用表示データ格納部３１０ｂは、ステータスに応じた会員用表示データ３１００ｂを格納する。
【００９２】
会員用プレーヤアプリ格納部３０９ｂは、ステータスに応じた会員用プレーヤアプリ３０９０ｂを格納する。
【００９３】
アプリ／表示データ取得部３０４ａは、動作モード変更処理プロセスにおいて、動作モード指示に基づいてステータスに応じた会員用表示データ３１００ｂおよび会員用プレーヤアプリ格納部３０９ｂにおける会員用プレーヤアプリ３０９０ｂを取得する。
【００９４】
会員用プレーヤアプリ実行部３０８ｂは、アプリ／表示データ取得部３０４ａによって取得された会員用プレーヤアプリ３０９０ｂを実行する。
【００９５】
次いで、カード２０ｃにおいて行われる動作モード決定プロセスの動作を説明する。
図１１は、図４に示される動作モード決定プロセス（Ｓ１４）のサブルーチンを示すフローチャートである。なお、図５のフローチャートと対応する部分に同じステップ番号を付す。
【００９６】
動作モード決定部２０３ｂは、まず会員証データ保持部２０２を検索し、会員証２０２０があるか否か判断する（Ｓ１４１）。会員証２０２０がある場合（Ｓ１４１でＹｅｓ）、動作モード決定部２０３ｂは、署名のチェック、有効期限のチェック等による会員証２０２０の有効性を確認し（Ｓ１４２）、会員証２０２０が有効か否か判断する（Ｓ１４３）。
【００９７】
会員証２０２０が有効である場合（Ｓ１４３でＹｅｓ）、動作モード決定部２０３ｂは、会員証の種別を確認し、動作モードを決定する（Ｓ１４４）。次いで、動作モード決定部２０３ｂは、会員ポイント管理部２０４に格納されている会員ポイント２０４０を参照し、ステータス決定／ルール格納部２０５に格納されているルール２０５０に基づいて会員ステータスを決定する（Ｓ１４７）。動作モードおよび会員ステータスを決定すると、動作モード決定部２０３ｂは、動作モード＝決定した動作モードに、会員ステータス＝決定した会員ステータスに設定した指示を示す動作モード指示を生成し（Ｓ１４８）、図４に示されるメインルーチンにリターンする。
【００９８】
一方、会員証データ保持部２０２に会員証がない場合（Ｓ１４１でＮｏ）、あるいは会員証が有効でない場合（Ｓ１４３でＮｏ）、動作モード決定部２０３ｂは、動作モード＝一般プレーヤに設定した指示を示す動作モード指示を生成し（Ｓ１４６）、図４に示されるメインルーチンにリターンする。
【００９９】
図１２は、上記した動作モード指示７０ｂのデータ構成例を示す図である。
図１２に示されるように、動作モード指示７０ｂは、このデータが動作モード指示であることを示す動作モード指示識別子７１と、この指示の内容を示す動作モード７２と、会員のステータスを示す会員ステータス７３とから構成される。会員ステータス７３としては、０：通常会員、１：シルバー会員、２：ゴールド会員、…の何れかが格納される。
【０１００】
このような動作モード指示７０ｂの生成が終わると、動作モード決定部２０３ｂは、生成した動作モード指示７０ｂを通信部２０１を介してコンテンツ再生端末３０ｄに送信する。
【０１０１】
そして、コンテンツ再生端末３０ｄのアプリ／表示データ取得部３０４ａは、動作モード変更処理プロセスにおいて、動作モード指示に基づいてステータスに応じた会員用表示データ３１００ｂおよび会員用プレーヤアプリ格納部３０９ｂにおける会員用プレーヤアプリ３０９０ｂを取得し、会員用プレーヤアプリ実行部３０８ｂは、アプリ／表示データ取得部３０４ａによって取得された会員用プレーヤアプリ３０９０ｂを実行する。
【０１０２】
これにより、会員のステータスにより装飾を変えたり、ＧＵＩを変えたりすることもできる。
【０１０３】
このような処理によっても、カード２０ｃの挿抜等でコンテンツ再生端末３０ｄを一般用の端末と動作させたり、会員用の専用端末として動作させたりすることができるだけでなく、会員のステータスにより装飾を変えたり、ＧＵＩを変えたりすることもできる。
【０１０４】
なお、上記実施の形態１〜４においては、動作モード決定部２０３ａ，２０３ｂをカード２０ａ〜２０ｃに設けたが、コンテンツ再生端末３０ａ〜３０ｄに設けるようにしてもよい。
【０１０５】
また、上記実施の形態１〜４においては、会員専用モードにおいて装飾表示やＧＵＩの表示を変えるようにしたが、会員専用モードにおいてサーバ１０にアクセスするためのボタンを表示し、このボタンを押すとこのサーバ１０で提供するサイト、例えば「ニギニギおじさんのコンテンツ解説」にアクセスし、「Ｆｉｓｈｉｎｇ  △□×○の制作秘話」といったコンテンツをダウンロードできるようにしてもよい。また、ボタンを押すとこのサーバ１０で提供するサイト、例えば「コンテンツのアップグレード」にアクセスし、コンテンツの音声を５．１ｃｈ化するデータや、コンテンツの画質を劇場版と同等にハイデンシティ化するデータをダウンロードできるようにしてもよい。
【０１０６】
（実施の形態５）
次いで、本発明の実施の形態５に係るコンテンツ再生端末について説明する。
図１３は、本発明の実施の形態５に係るコンテンツ再生端末に適用される会員システムの全体構成を示す図である。
【０１０７】
ところで、実施の形態１〜４では、カード２０ａには、１つの会員証だけが格納されていた。このように、カードに１つの会員証だけしか格納できないとなると、会員になるごとにカードが送られてくることになり、入会するごとにカードの数が増え、カードの管理が煩わしい。このため、１つのカードの中に複数の会員証を格納することが考えられる。すなわち、ユーザがある業者（例えば、Ｃ社）の会員になる場合、会員サービス提供者Ｃ社は、会員手続を行ったユーザに会員証データを格納した上で、カード２０ｄを発行するが、ユーザが他の業者（例えば、Ａ社）の会員になる場合は、Ａ社の会員証だけを送信し、Ａ社の会員証をカード２０ｄに追記するといったことが考えられている。この場合、カードの管理が容易になる反面、複数の会員証のいずれかをユーザがいちいち選択しなければならないとすると、煩雑である。
【０１０８】
そこで、この実施の形態５に係るコンテンツ再生端末３０ｅにおいては、実施の形態１に係るコンテンツ再生端末３０ａの機能に加え、カード内に会員証が複数存在する場合、優先する会員証を特定する仕組みが組み込まれている。
【０１０９】
つまり、ユーザが複数の会員証が格納されたカード２０ｄをコンテンツ再生端末３０ｅのカードスロットに挿入すると、コンテンツ再生端末３０ｅは、所定のタイミングで、どのような動作モード（どの会員用端末など）で動作すべきかカード２０ｄに問い合わせる。カード２０ｄは、どの会員用端末として動作すべきかを示す動作モードを決定し、決定した動作モード（例えば、動作モード＝Ｃ社会員端末）を指示する。コンテンツ再生端末３０ｅは、指示されたＣ社会員端末として動作する。
【０１１０】
図１４は、図４に示される動作モード決定プロセス（Ｓ１４）のサブルーチンを示すフローチャートである。なお、図５のフローチャートと対応する部分に同じステップ番号を付し、その詳細な説明を省略する。
【０１１１】
動作モード決定部２０３ａは、まず会員証データ保持部２０２を検索し、会員証２０２０があるか否か判断する（Ｓ１４１）。会員証２０２０がある場合（Ｓ１４１でＹｅｓ）、動作モード決定部２０３ａは、署名のチェック、有効期限のチェック等による会員証２０２０の有効性を確認し（Ｓ１４２）、会員証２０２０が有効か否か判断する（Ｓ１４３）。
【０１１２】
会員証２０２０が有効である場合（Ｓ１４３でＹｅｓ）、動作モード決定部２０３ａは、有効な会員証が複数あるか否か判断する（Ｓ１４３ａ）。複数存在しない場合（Ｓ１４３ａでＮｏ）、つまり１つしか存在しない場合は、実施の形態１の場合と同様に、その１つの会員証の種別を確認し、動作モードを決定する（Ｓ１４４）。そして、動作モード決定部２０３ａは、動作モード＝決定した動作モードに設定した指示を示す動作モード指示を生成し（Ｓ１４５）、図４に示されるメインルーチンにリターンする。
【０１１３】
一方、会員証が複数存在する場合（Ｓ１４３ａでＹｅｓ）、動作モード決定部２０３ａは、複数の会員証の中から優先する会員証を決定し（Ｓ１４３ｂ）、決定した会員証の種別を確認し、動作モードを決定する（Ｓ１４４）。そして、動作モード決定部２０３ａは、動作モード＝決定した動作モードに設定した指示を示す動作モード指示を生成し（Ｓ１４５）、図４に示されるメインルーチンにリターンする。
【０１１４】
なお、ステップＳ１４３ｂにおける優先する会員証を決定する方法としては、
Ａ）最優先の会員証にフラグを設定しておいて、フラグが設定された会員証を優先する方法、
Ｂ）会員証に優先順位を設定しておいて、優先順位が一番高く設定された会員証を優先する方法、
Ｃ）過去１月とか、１週間とかのコンテンツの利用履歴を保持しておき、利用頻度の高いコンテンツを提供する会社（例えば、Ａ社）の会員証を優先する方法、
Ｄ）カード発行者情報がカードに設定されており、カード発行者が発行している会員証がある場合、その会員証（例えば、図１３の例では、Ｃ社発行のカードの場合、Ｃ社会員証を優先）を優先する方法がある。
【０１１５】
なお、Ａ），Ｂ）についてはユーザの指示により、予め設定される。
これにより、複数の会員証の中から優先する会員証が自動的に決定されるので、ユーザを煩わすことなく、コンテンツ再生端末３０ｅを所定の会員用端末として動作させることができる。
【０１１６】
また、Ｃ）の方式を採用した場合には、コンテンツの利用履歴に応じて会員証を動的に変化させることもできる。
【０１１７】
なお、コンテンツ再生端末３０ｅにカードスロット３１を複数設け、各カードスロット３１に種々のカード２０ｄを挿入するようにしてもよい。この場合には、コンテンツ再生端末３０ｅにおいて、上記Ａ），Ｂ），Ｃ）の方法等により優先する会員証を決定するようにすればよい。
【０１１８】
また、図１５に示されるように、家庭内において、コンテンツ再生端末を、ホームＬＡＮ６１を介してホームサーバ８０等に接続し、ホームサーバ８０のカードスロット３１にカード２０ｄを挿入しているような場合、次のようにしてもよい。コンテンツ再生端末のカードスロット３１にカード２０ｄが挿入されていない場合、コンテンツ再生端末は、所定のタイミングで、ホームＬＡＮ６１越しで、どのような動作モード（どの会員用端末など）で動作すべきかをホームサーバ８０のカード２０ａ（２０ｂ〜２０ｄ）に問い合わせる。カード２０ａ（２０ｂ〜２０ｄ）は、どの会員用端末として動作すべきかを示す動作モードを決定し、決定した動作モード（例えば、動作モード＝Ｃ社会員端末）を指示する。コンテンツ再生端末は、指示されたＣ社会員端末として動作する。
【０１１９】
これによっても、ユーザを煩わすことなく、コンテンツ再生端末３０ｅを所定の会員用端末として動作させることができる。
【０１２０】
（実施の形態６）
次いで、本発明の実施の形態６に係るコンテンツ再生端末について説明する。
図１６は、本発明の実施の形態６に係るコンテンツ再生端末に適用される会員システムの全体構成を示す図である。
【０１２１】
ところで、実施の形態５では、会員証を優先させる仕組みとして、
Ａ）最優先の会員証にフラグを設定しておいて、フラグが設定された会員証を優先する方法、
Ｂ）会員証に優先順位を設定しておいて、優先順位が最も高く設定された会員証を優先する方法、
Ｃ）過去１月とか、１週間とかのコンテンツの利用履歴を保持しておき、利用頻度の高いコンテンツを提供する会社（例えば、Ａ社）の会員証を優先する方法、
Ｄ）カード発行者情報がカードに設定されており、カード発行者が発行している会員証がある場合、その会員証（例えば、図１３の例では、Ｃ社発行のカードの場合、Ｃ社会員証を優先）を優先する方法を採用した。
【０１２２】
しかしながら、これらの方法では、コンテンツとの結びつきがほとんどなく、例えばＡ社のコンテンツ再生時にコンテンツ再生端末３０ｅがＣ社の専用端末として動作したりし、会員証発行元およびユーザにとって好ましくない。
【０１２３】
そこで、この実施の形態６に係るコンテンツ再生端末３０ｅにおいては、再生するディスク／コンテンツに応じて動作モードを変更する仕組みが組み込まれている。
【０１２４】
つまり、
１．会員サービス提供者は、入会手続を行ったユーザに対し、会員証データを送信する。
【０１２５】
２．ユーザは、カードを、端末のカードスロットに挿入する。
３．端末は、所定のタイミング（起動時、ディスク挿入時等）で、カードに対しどのような動作モードで動作すべきか問い合わせる。この問い合わせには、再生するディスク／コンテンツ種別等が含まれている。
４．カードは、カード内の情報（会員証の優先度、会員証の有無、会員のステータス、有効期限情報等）と、端末から送信されたディスク／コンテンツ種別とに基づいて、動作モードを決定する。すなわち、動作モード決定部は、上記のＡ）〜Ｄ）の会員証を優先させる仕組みにさらに優先させて、ディスク／コンテンツ種別に含まれる、コンテンツプロバイダ（Ａ社、Ｃ社など）の種類を加味して、動作モードを決定する。例えば、コンテンツの提供元がＡ社であり、カードが有効なＡ社会員証を有していれば、動作モードをＡ社会員端末として決定する。
５．カードは、決定した動作モード（Ａ社会員端末）を端末に返信する。
６．端末は、カードからの指示にしたがって動作する。
【０１２６】
これにより、会員証発行元およびユーザにとってより好ましいコンテンツに応じた会員用端末として動作させることができる。
【０１２７】
なお、コンテンツ再生端末３０ｅから送る動作モード問い合わせに含まれるディスク／コンテンツ情報として、１８禁などのレイティングや、スポーツ、ドラマ、映画、教育などのジャンルを含めるようにしてもよい。この場合、カードは、決定する動作モードに、これらのレイティングやジャンルを含め、コンテンツ再生端末３０ｅはこれらのレイティングや、ジャンルに応じて装飾等を変えるようにしてもよい。
【０１２８】
これにより、例えば、レイティングが１８禁であれば、大人用の装飾にしたりすることができる。
【０１２９】
また、コンテンツのパッケージにＩＣタグを貼着し、ＩＣタグに記録されたディスクの流通形態（セル用、レンタル用など）をタグリーダで読み取り、読み取った流通形態をディスク／コンテンツ情報に含め、カードは、流通形態に基づいて動作モードを決定するようにしてもよい。また、ＩＣタグに限られず、ディスクの物理的形状や、ディスクに記録されている情報などから、ディスクの流通形態を読み取れる場合には、これらから読み取った流通形態をディスク／コンテンツ情報に含め、流通形態に基づいて動作モードを決定するようにしてもよい。
【０１３０】
これにより、例えば、流通形態がレンタル用を示していれば、コンテンツがＡ社のものであっても、レンタル業者Ｂ社の会員用端末として動作させることができる。
【０１３１】
また、上記実施の形態１〜６では、セキュアデバイスとして可搬型のカードを用いて会員専用端末としての機能を実現する場合について説明したが、端末上にこの機能が実現可能であればよいので、カードに代えて、図１７に示されるように、ＩＣチップ２０ｅを用い、ソケット３１ｅなどによりＩＣチップ２０ｅを基板に固定するようにしてもよく、パーソナルコンピュータ（ＰＣ）上のソフトウェア等（この場合は耐タンパ化されていることが望ましい。）で実現されてもよい。この場合には、会員証などのデータを入会の際等に格納するようにすればよい。
【０１３２】
さらに、コンテンツがディスクに記録されている場合について説明したが、これに限定されるわけではなく、放送やインターネット等によって取得したコンテンツであってもよく、これらのコンテンツに対して会員専用端末としての機能を発揮するようにしてもよい。
【産業上の利用可能性】
【０１３３】
本発明に係るコンテンツ再生端末は、ユーザが会員カードをコンテンツ再生端末のＩＣカードスロットに差し込むことによって、その端末を、会員専用機に変身させて利用することが可能となるＤＶＤプレーヤ等のコンテンツ再生端末に適用することができる。
【図面の簡単な説明】
【０１３４】
【図１】図１は、本実施の形態１に係るコンテンツ再生端末に適用されるある会員システムの全体構成を示す図である。
【図２】図２は、図１に示されるカード２０ａおよびコンテンツ再生端末３０ａの機能構成を示すブロック図である。
【図３】図３は、会員証２０２０のデータ構成を示す図である。
【図４】図４は、コンテンツ再生端末３０ａおよびカード２０ａ間で行われる動作モード変更処理の動作を示すフローチャートである。
【図５】図５は、図４に示される動作モード決定プロセス（Ｓ１４）のサブルーチンを示すフローチャートである。
【図６】図６は、動作モード指示７０ａのデータ構成例を示す図である。
【図７】図７は、図４に示される動作モード変更処理プロセス（Ｓ１９）のサブルーチンを示すフローチャートである。
【図８】図８は、本発明の実施の形態２に係るコンテンツ再生端末およびカードの機能構成を示すブロック図である。
【図９】図９は、本発明の実施の形態３に係るコンテンツ再生端末およびカードの機能構成を示すブロック図である。
【図１０】図１０は、本発明の実施の形態４に係るコンテンツ再生端末およびカードの機能構成を示すブロック図である。
【図１１】図１１は、図４に示される動作モード決定プロセス（Ｓ１４）のサブルーチンを示すフローチャートである。
【図１２】図１２は、動作モード指示７０ｂのデータ構成例を示す図である。
【図１３】図１３は、本発明の実施の形態５に係るコンテンツ再生端末に適用される会員システムの全体構成を示す図である。
【図１４】図１４は、図４に示される動作モード決定プロセス（Ｓ１４）のサブルーチンを示すフローチャートである。
【図１５】図１５は、家庭内において、コンテンツ再生端末３０ｅを、ホームＬＡＮ６１を介してホームサーバ８０等に接続した場合の構成を示す図である。
【図１６】図１６は、本発明の実施の形態６に係るコンテンツ再生端末に適用される会員システムの全体構成を示す図である。
【図１７】図１７は、セキュアデバイスとして、カードに代えてＩＣチップ２０ｅを用いた場合を示す図である。
【符号の説明】
【０１３５】
２０ａ，２０ｂ，２０ｃ，２０ｄ  カード
２０ｅ  ＩＣチップ
３０ａ，３０ｂ，３０ｃ，３０ｄ，３０ｅ  コンテンツ再生端末
３１  ＩＣカードスロット
７０ａ，７０ｂ  動作モード指示
７１  動作モード指示識別子
７２  動作モード
７３  会員ステータス
２０１，３０１  通信部
２０２  会員証データ保持部
２０３ａ，２０３ｂ  動作モード決定部
２０４  会員ポイント管理部
２０５  ステータス決定／ルール格納部
３０２  ネットワーク通信部
３０３  動作モード制御部
３０４ａ，３０４ｂ，３０４ｃ  アプリ／表示データ取得部
３０５ａ，３０５ｂ  レジデントプレーヤアプリ実行部
３０６ａ，３０６ｂ  レジデントプレーヤアプリ格納部
３０７  レジデント表示データ格納部
３０８ａ，３０８ｂ  会員用プレーヤアプリ実行部
３０９ａ，３０９ｂ  会員用プレーヤアプリ格納部
３１０ａ，３１０ｂ  会員用表示データ格納部
３１１  コンテンツ再生／情報提示部
２０２０  会員証
２０４０  会員ポイント
２０５０  ルール
３０６０ａ，３０６０ｂ  レジデントプレーヤアプリ
３０７０  レジデント表示データ
３０９０ａ，３０９０ｂ  会員用プレーヤアプリ
３１００ａ，３１００ｂ  会員用表示データ
【図１】
0004638427.tif 000002
【図２】
0004638427.tif 000003
【図３】
0004638427.tif 000004
【図４】
0004638427.tif 000005
【図５】
0004638427.tif 000006
【図６】
0004638427.tif 000007
【図７】
0004638427.tif 000008
【図８】
0004638427.tif 000009
【図９】
0004638427.tif 000010
【図１０】
0004638427.tif 000011
【図１１】
0004638427.tif 000012
【図１２】
0004638427.tif 000013
【図１３】
0004638427.tif 000014
【図１４】
0004638427.tif 000015
【図１５】
0004638427.tif 000016
【図１６】
0004638427.tif 000017
【図１７】
0004638427.tif 000018